(57)【要約】【課題】  布団や衣類等を収容して内部のエアーを抜くことで圧縮することが出来る布団等の圧縮容器であって、収容した布団等を上方からのみ圧縮できる圧縮容器の提供。【解決手段】  プラスチック製の箱形容器１にフイルムカバー２を上方へ突出して取付け、該フイルムカバー２は容器上部の開口を被覆するものであって、概略逆台形の２枚のフイルム６，６と概略三角形の２枚のフイルム７，７の側縁を溶着などで互いに連結し、対向する位置にある概略逆台形のフイルム６，６の上縁にはシール部８を形成して開閉可能とし、そして上記各フイルムの下端部を容器１の側部３，３，４，４の内面に接着などで固着し、更に容器１の側部には内部のエヤーを吸込むことが出来る吸込み弁９を取付けている。【選択図】    図１
0003133915.tif 000002
【実用新案登録請求の範囲】
【請求項１】
布団や衣類等を収容して内部のエアーを抜くことで圧縮することが出来る布団等の圧縮容器において、プラスチック製の箱形容器にフイルムカバーを上方へ突出して取付け、該フイルムカバーは容器上部の開口を被覆するものであって、２枚の四角形フイルムの両側縁又は１枚の四角形フイルムを２つ折りした片側縁を溶着して筒形とし、該フイルム上縁にはシール部を形成して開閉可能とし、そしてフイルムの下端部を容器の側部内面に接着などで固着し、更に容器の側部には内部のエヤーを吸込むことが出来る吸込み弁を設けたことを特徴とする布団等の圧縮容器。
【請求項２】
布団や衣類等を収容して内部のエアーを抜くことで圧縮することが出来る布団等の圧縮容器において、プラスチック製の箱形容器にフイルムカバーを上方へ突出して取付け、該フイルムカバーは容器上部の開口を被覆するものであって、概略逆台形の２枚のフイルムと概略三角形の２枚のフイルムの側縁を溶着などで互いに連結し、対向する位置にある概略逆台形のフイルム上縁にはシール部を形成して開閉可能とし、そして上記各フイルムの下端部を容器の側部内面に接着などで固着し、更に容器の側部には内部のエヤーを吸込むことが出来る吸込み弁を設けたことを特徴とする布団等の圧縮容器。
【請求項３】
布団や衣類等を収容して内部のエアーを抜くことで圧縮することが出来る布団等の圧縮容器において、プラスチック製の箱形容器にフイルムカバーを上方へ突出して取付け、該フイルムカバーは容器上部の開口を被覆するものであってチューブ状の筒形フイルムとし、該フイルム上縁にはシール部を形成して開閉可能とし、そしてフイルムの下端部を容器の側部内面に接着などで固着し、更に容器の側部には内部のエヤーを吸込むことが出来る吸込み弁を設けたことを特徴とする布団等の圧縮容器。
【請求項４】
上記吸込み弁は弁本体と弁蓋から成り、弁本体と弁蓋とで容器側部を挟み込んで取付け、弁本体の凹部中央筒上縁に柔軟性のあるゴム製の弁を配置すると共に弁蓋中央に設けた弁押えにて該弁中心部を押圧した請求項１、請求項２、又は請求項３記載の布団等の圧縮容器。
【請求項５】
上記吸込み弁の弁本体又は弁蓋を容器側部に一体成形した請求項４記載の布団等の圧縮容器。
【請求項６】
容器の底にキャスターを取付けた請求項１、請求項２、請求項３、請求項４、又は請求項５記載の布団等の圧縮容器。
【請求項７】
容器をタンスの引き出し型式とした請求項１、請求項２、請求項３、請求項４、又は請求項５記載の布団等の圧縮容器。
【考案の詳細な説明】
【技術分野】
【０００１】
本考案は布団や衣類等を収容した状態で内部のエアーを吸引して圧縮するための容器に関するものである。
【背景技術】
【０００２】
布団はその体積が大きく、都会のマンションなどでは押入れなどに収納する際に問題となる。そこで、近年では圧縮袋が使用され、ビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように機能する吸込み弁が取付けられている。従って、圧縮袋に収容して圧縮された布団は小さく成って保管することが出来る。例えば、実用新案登録第３０８１５４８号に係る「圧縮収納袋」はその１例である。
【０００４】
ところで、圧縮袋に布団を収容して圧縮する場合、該布団は小さく圧縮されるが、圧縮されるその形状は一定せず、すなわちあらゆる方向からも圧縮される為に布団が損傷する場合もある。特にフェザーの多い羽根布団は圧縮することで羽根が折れてしまい、その羽根が布団生地を損傷することがある。これは布団に限らず、ダウンの衣類を収容して圧縮する場合も同じである。
【０００５】
従来の圧縮袋は薄いフイルムで構成しているために、物と接触する際に破れることもある。特に、掃除機のホース先端を吸込み口に当てて吸引するが、誤ってフイルムを吸引することがあり、この際、吸引力にてフイルムが破れる。又、布団などを収容して圧縮した複数の圧縮袋は積み重ねることも出来るが、上下面は平坦でなく、安定しない為に、積重ねても崩れ落ちる可能性がある。
【特許文献１】実用新案登録第３０８１５４８号に係る「圧縮収納袋」
【考案の開示】
【考案が解決しようとする課題】
【０００６】
このように、従来の布団圧縮袋には上記のごとき問題がある。本考案が解決しようとする課題はこの問題点であり、フイルムが破れることなく布団や衣類などを収容して圧縮することが出来、又積重ねても安定する布団などの圧縮容器を提供する。
【課題を解決するための手段】
【０００７】
本考案に係る布団などの圧縮容器は、プラスチック製の容器にフイルムカバーを接着して構成し、フイルムカバーの上端は閉じることでシールされて、逆に開口することも出来る。そして、上記フイルムカバーは容器の上方に突出して取付けられるが、フイルムカバーは２枚の概略逆台形フイルムと２枚の概略三角形フイルムの側縁が互いに溶着などにて繋がれて構成される。又は２枚の四角形フイルムの両側縁を溶着したり、大きな１枚の四角形フイルムを２つ折りした片側縁を溶着して筒形とすることも出来、更にはチューブ状の筒形フイルムを使用することもある。
【０００８】
そしてフイルムの下端部は容器内側面に接着などで固着されて、該容器と組み合わされることで圧縮容器となる。容器の側壁には吸込み弁が取付けられ、該吸込み弁からエアーを吸込むことで容器内部が真空となってフイルムカバーは降下する。ここで、吸込み弁の具体的な構造は特に限定しないが、柔軟性のある弁を備えていて、吸い込みを停止すると同時に該弁が自動的に閉じる構造と成っている。
【考案の効果】
【０００９】
本考案に係る布団などの圧縮容器は、容器内部に折畳んだ布団、折畳んだ衣類などを収容し、フイルムカバーの上部開口を閉じると共にシールした状態で、内部のエヤーを吸い込む。これは容器側壁に設けている吸込み弁にホース先端を当てがって掃除機で吸い込むことが出来、その結果、フイルムカバーは降下して内部に収容した布団や衣類を上方から圧縮することが出来る。本発明では圧縮される方向は上方であり、側部及び下部が圧縮されることはない。
【００１０】
フイルムカバーが降下したところで、容器に蓋をすることが出来、この状態で容器ごと積重ねることが出来る。従って、フイルムカバーが擦れたり、他の物に接触することはなく、又エアーを吸い込む際にホース先端がフイルムカバーに当ることもない。一方、上記容器の底にキャスターを取付けることで自由に移動することが出来て持ち上げる必要がない。又、引き出し型式で複数の容器を収納することも可能と成る。
【実施例】
【００１１】
図１は本考案に係る布団等の圧縮容器を示す実施例であり、その正面図を表している。同図の１は容器、２はフイルムカバーを示し、容器１はプラスチック製の箱形で、側部３，３，４，４、及び底部５を有し、上部は開口している。そして、フイルムカバー２は容器１の上方へ突出した状態で接着されている。
【００１２】
フイルムカバー２は概略逆台形の２枚のフイルム６，６と概略三角形の２枚のフイルム７，７から構成され、フイルム６，６、及びフイルム７，７の側縁が溶着されて繋がっている。そして、対向するフイルム６，６の上縁にはシール部８が形成されて、フイルムカバー２の上部を閉じている。逆に該シール部８は閉じることなく開いて開口することも出来る。
【００１３】
このシール部８は従来の布団圧縮袋に使用されるものと同じ形状にて構成され、一般には一方側のフイルム上縁内側に凸部を沿設し、反対側のフイルム上縁内側に凹部を沿設している。そして、閉じる際には凹部に凸部が嵌合することで密閉される。同図の９は吸込み弁を表し、この吸込み弁９に掃除機のホース先端を当てて内部の空気を吸込むことが出来る。
【００１４】
ところで、上記フイルムカバー２は容器１とは独立して構成され、各フイルム６，６，７，７の下端部が容器１の側部３，３，４，４の内側上端部に接着又は溶着される。フイルム６はその形状を概略逆台形とし、又フイルム７はその形状を概略三角形としている。従って、大きなフイルムを容器１の側部３の幅寸法に合わせてフイルム６の底辺が裁断され、同じく側部４の幅寸法に合わせてフイルム７の底辺が裁断される。
【００１５】
このように個々に裁断されて所定の形状と成ったフイルム６，６，７，７の側縁を溶着してフイルムカバー２が製作され、容器１に固着して取付けられる。ところで、上記吸込み弁９は側部３に穴を開けて取付けられるが、図２に断面を示すように吸込み弁９は弁本体１０と弁蓋１１から成って、容器１の側部３を弁本体１０と弁蓋１１とで挟み込んでいる。
【００１６】
図３は吸込み弁９の具体例を示す断面図である。側部３に穴を設けて弁本体１０を取付け、弁本体１０には弁蓋１１が被覆している。弁本体１０の外周には平坦な接着面１２が設けられ、この接着面１２を側部３に当接して接着し、中央部には凹部１３を設け、そして該凹部１３の底には筒１５を設けると共にエヤー流通穴１４を形成している。又、筒１５の上縁１６は凹部底１７から突出している。
【００１７】
そして凹部底１７には位置決めリング１８が筒１５と同心を成して起立し、弁１９は上縁１６に載置されると共に位置決めリング１８の内側に嵌って取付けられている。このように取付けた弁本体１０には弁蓋１１が被覆して取付けられるが、凹部１３にはリング状の脚２０が嵌り、弁蓋１１の中央から弁押え２１が延び、該弁押え２１の先端は弁１９に当って押圧している。
【００１８】
そこで、弁押え２１にて押圧された弁１９は皿のように湾曲した形状と成り、上縁１６との間に隙間なく接している。ところが、弁蓋１１の上板部２２にホース先端を当ててエヤーを吸込むならば、ゴムのように柔軟な弁１９は更に湾曲して、上縁１６との間に隙間が発生して、該隙間からエヤーが流れる。すなわち、弁１９を境として弁蓋側（外側）と弁本体側（容器側）で気圧に差が生じて、気圧の小さい外側へ湾曲して隙間を形成する。
【００１９】
図４は容器１に布団２３を折畳んで収容している場合である。折畳まれた２枚の布団２３，２３は容器１内に納まることなく、上部開口から突出してフイルムカバー２内に収容された状態にある。フイルムカバー２はシールされて閉じ、この状態で吸込み弁９からエヤーを吸込むならば、図５のように圧縮される。
【００２０】
吸込み弁９からエヤーを吸込んでも剛体である容器１はその形状を変えることはなく、柔軟性のあるフイルムカバー２だけが変形して降下する。すなわち、エヤーが吸い取られることで降下し、収容している布団２３，２３は圧縮されて図５のようになる。ただし、容器１に収容されることで、布団２３，２３の側面が圧縮されることはない。
【００２１】
ところで、エアーが抜かれて圧縮されることで、フイルムカバー２は降下して容器１の上部には上蓋が取付けられ、この状態で収納庫に保管することが出来る。ここで、容器１の底にキャスターを取付けるならば、手で持ち上げることなく移動することが出来、又引き出し型式とするならばタンスのように個々の容器を収納することが可能と成る。
【図面の簡単な説明】
【００２２】
【図１】本発明に係る布団等の圧縮容器の正面図。
【図２】本発明に係る布団等の圧縮容器の縦断面図。
【図３】容器側部に取付けられる吸い込み弁の具体例。
【図４】圧縮容器に布団を収容した場合。
【図５】圧縮容器に収容された布団が圧縮された状態。
【符号の説明】
【００２３】
１  容器
２  フイルムカバー
３  側部
４  側部
５  底部
６  フイルム
７  フイルム
８  シール部
９  吸込み弁
10  弁本体
11  弁蓋
12  接着面
13  凹部
14  エヤー流通穴
15  筒
16  上縁
17  凹部底
18  位置決めリング
19  弁
20  脚
21  弁押え
22  上板部
23  布団
【図１】
0003133915.tif 000003
【図２】
0003133915.tif 000004
【図３】
0003133915.tif 000005
【図４】
0003133915.tif 000006
【図５】
0003133915.tif 000007